(57)【要約】【課題】本発明は補強擁壁の構築作業が簡単であると共に、その構築コストをきわめて安価に出来る補強擁壁を提供することを目的とするものである。【解決手段】本発明による補強擁壁は、底板と前壁と両側壁と平坦載置部と前壁当接面部と段差条部を備えた擁壁ユニットを有し、網目シート状の土木建築用繊維資材よりなる補強部材が擁壁ユニットの前方側に折り返し部を有し、かつ後方側には長尺な延出アンカー部となす部分を有して敷設され、該底板上の前記補強部材及び後方側の延出アンカー部上に対し盛り土されると共に該盛り土部分が転圧されてなり、前記折り返し部は前記盛り土上に折り返し敷設されると共に、再度盛り土、転圧されてなることを特徴とするものである。【選択図】　　　　図１
2004100363.tif 000002
【特許請求の範囲】
【請求項１】
上下方向に貫通する水抜き用孔が設けられた略方形状をなす底板と、
前記底板先端部より上り勾配で前方に張り出す前壁と、
前記前壁及び底板の左右方向両側に立ち上げて設けられた両側壁と、
前記立ち上げられた両側壁の平坦面状上端面に形成された平坦載置部と、
該平坦載置部の先端部より前記前壁の上り勾配とほぼ同様の上り勾配で立ち上がる前壁当接面部と、
前記底板の後端部側から底板より上方に向かい断面略方形状に立ち上げて形成され、両端が両側壁に連結された段差条部と、
を備えた擁壁ユニットを有し、
前記段差条部の内側に位置する底板上には網目シート状の土木建築用繊維資材よりなる補強部材が擁壁ユニットの前方側に折り返し部を有し、かつ後方側には長尺な延出アンカー部となす部分を有して敷設され、
該底板上の前記補強部材及び後方側の延出アンカー部上に対し盛り土されると共に該盛り土部分が転圧されてなり、
前記折り返し部は前記盛り土上に折り返し敷設されると共に、再度盛り土、転圧されてなる、
ことを特徴とする補強擁壁。
【請求項２】
前記の擁壁ユニットが左右方向に１つ飛ばし状態で敷設され、かつ該上段には前記の飛ばし箇所に跨って前記擁壁ユニットが架設され、複数段重ねられて構築された、
ことを特徴とする請求項１記載の補強擁壁。
【請求項３】
前記擁壁ユニットが左右方向に１つ飛ばし状態でかつ曲線状に敷設され、かつ該上段には前記の飛ばし箇所に跨って前記擁壁ユニットが曲線状に曲げて架設され、前記擁壁ユニットが複数段積み重ねられて構築された、
ことを特徴とする請求項１記載の補強擁壁。
【発明の詳細な説明】
【０００１】
【発明の属する技術分野】
本発明は、例えば、急勾配の擁壁構築に際し、該急勾配の補強擁壁を低コストで形成することが出来る補強擁壁に関するものである。
【従来の技術】
従来、コンクリート製品からなる擁壁ユニットを組み立て、急勾配の補強擁壁を構築するには、前記擁壁ユニットを重ね合わせ、それらをそれぞれの連結金具を用いて連結しなければならず、作業手間になると共に、これらの製作はコスト高となっていた。
【発明が解決しようとする課題】
かくして本発明は前記従来の課題に対処すべく創案されたものであって、補強擁壁の構築作業が簡単であると共に、その構築コストをきわめて安価に出来る補強擁壁を提供することを目的とするものである。
【課題を解決するための手段】
本発明による補強擁壁は、
上下方向に貫通する水抜き用孔が設けられた略方形状をなす底板と、
前記底板先端部より上り勾配で前方に張り出す前壁と、
前記前壁及び底板の左右方向両側に立ち上げて設けられた両側壁と、
前記立ち上げられた両側壁の平坦面状上端面に形成された平坦載置部と、
該平坦載置部の先端部より前記前壁の上り勾配とほぼ同様の上り勾配で立ち上がる前壁当接面部と、
前記底板の後端部側から底板より上方に向かい断面略方形状に立ち上げて形成され、両端が両側壁に連結された段差条部と、
を備えた擁壁ユニットを有し、
前記段差条部の内側に位置する底板上には網目シート状の土木建築用繊維資材よりなる補強部材が擁壁ユニットの前方側に折り返し部を有し、かつ後方側には長尺な延出アンカー部となす部分を有して敷設され、
該底板上の前記補強部材及び後方側の延出アンカー部上に対し盛り土されると共に該盛り土部分が転圧されてなり、
前記折り返し部は前記盛り土上に折り返し敷設されると共に、再度盛り土、転圧されてなる、
ことを特徴とし、
または、
前記の擁壁ユニットが左右方向に１つ飛ばし状態で敷設され、かつ該上段には前記の飛ばし箇所に跨って前記擁壁ユニットが架設され、複数段重ねられて構築された、
ことを特徴とし、
または、
前記擁壁ユニットが左右方向に１つ飛ばし状態でかつ曲線状に敷設され、かつ該上段には前記の飛ばし箇所に跨って前記擁壁ユニットが曲線状に曲げて架設され、前記擁壁ユニットが複数段積み重ねられて構築された、
ことを特徴とするものである。
【発明の実施の形態】
以下、図に基づいて本発明に係る補強擁壁について説明する。
【０００２】
図において符号１は擁壁ユニットを示す。
【０００３】
該擁壁ユニット１は、通常型枠装置を用い、該型枠装置内に充填され固化されたコンクリート製品を脱型して形成されるものであり、該コンクリート製品による擁壁ユニット１は大量に生産することが出来る。
【０００４】
そして、該擁壁ユニット１は、上下方向に貫通する水抜き用孔２が設けられた略方形状をなす底板３と、該底板３の先端部より上り勾配で張り出す前壁４と、この前壁４及び前記底板３の左右方向両側に設けられた両側壁５，５とを有している。
【０００５】
そして、該両側壁５，５の平坦面状をなす上端面は平坦載置部６として構成されている。
【０００６】
尚、前記前壁４は底板３の先端部から前方方向へ向かって上り勾配を有して張り出す第１前壁部１３と該第１前壁部１３先端よりさらに上り勾配を有して張り出す第２前壁部とにより前壁４の略中間部で折曲して構成されている。
【０００７】
そして平坦載置部６の先端より前記前壁４の勾配（第１前壁部１３及び第２前壁部１４の勾配）とほぼ同様の上り勾配で前壁当接面部が立ち上がって形成されている。
【０００８】
さらに前記底板３の後端側からは該底板３より上方に断面略方形状に立ち上がり、かつその両端が前記両側壁５，５に連結された段差条部７が形成されている。
【０００９】
このような擁壁ユニット１において、その段差条部７の内側に位置する底板３上には、図から理解されるように長尺をなす編み目シート状の土木建築用繊維資材よりなる補強部材８が擁壁ユニット１の前方側に折り返し部９を有し、かつ後方側には長尺な延出アンカー部１０となす部分を有して敷設される。
【００１０】
ここで、長尺をなす編み目シート状の土木建築用繊維資材よりなる補強部材８としては、例えばジオテキスタイルがその具体例として挙げられる。
近年、数多くのジオテキスタイルを利用して盛り土や地盤改良が行われており、その場合ジオテキスタイルを使っての土中過剰水の排除法が有効な手段として多く行われているからである。
また、いわゆるジオシンセティックス補強土工法の利用形態の一つに，ジオシンセティックス補強材を立体的に組んだジオセルを用いることがある。
【００１１】
いわゆるジオセルについては各種の製品があり，一般的に運般・施工が容易で，用途も斜面保護（侵食防止）から軟弱地盤の支持力補強まで多種多様である。
すなわち、補強目的のジオセルは，セル内に充填する土質材料（特に粒状体）を変形拘束することによリ，セル内部土塊の強度増加をはかるものであり（拘束圧効果），その特長的な利用方法は，軟弱地盤土のマットレス形式の支持力（又は地耐力）補強工法と言われている
この盤状に敷設する工法は，面外方向外力の上載荷重を拘束した充填材料を介して面内方向に応力を伝播させ，盤状補強効果を期待するものである。
しかして、これらジオテキスタイルは、すぐれた高強力保持性を有するものであり、乾湿いずれの使用時においても、高強力保持性を有する。
【００１２】
また、土中・水中（海中）を問わず、すぐれた耐腐蝕性を発揮し、所期の施工効果を持続させる。さらに、日光・雨・雪等の長時間曝露に対する抵抗性にも優れている。
【００１３】
そして、柔軟で屈曲性にすぐれ、地盤に対する密着性・追従性が良く、施工性も良好である。
【００１４】
さらに、程好い織地問隙を有して、すぐれたフィルター機能をも発揮する。
【００１５】
また、特殊な蒿高加工のため高強力に加え緩衝効果も奏する。
【００１６】
そして、特殊糸使用の強力メッシュシートやポリエステル糸使用の土木用ジオテキスタイルにあっては軟弱地盤の埋立、防砂、吸い出し防止、海洋汚濁防止などの土木工事さらには野山の緑化をテーマに開発した植生袋、植生ネットなどにも効果的に使用される。
しかして、図１乃至図４から理解されるように、前記底板３上に敷設された前記補強部材８の上に、及びその後方側の延出アンカー部１０の上に対して、盛り土が行われ、かつこの盛り土１１部分が転圧されて固められる。
【００１７】
さらに、擁壁ユニット１の前方側にある折り返し部９は前記転圧された盛り土１１上に折り返されて敷設され（図３参照）、さらに再度その上に盛り土されて、該盛り土１２が転圧され固化される（図４参照）。
【００１８】
本発明による擁壁ユニット１の施工状態につき図７を参照して説明すると、図７に示すように、本発明による擁壁ユニット１を用いて第１段目を左右側の方向（横方向）へ一つ飛ばしの状態で設置する。
【００１９】
ここで、これらの設置については前記したように、擁壁ユニット１の底板３上に敷設された前記補強部材８の上部及びその後方側の延出アンカー部１０の上に対して盛り土し、かつこの盛り土１１部分を充分に転圧、固化する。
【００２０】
さらに、擁壁ユニット１の前方側にある折り返し部９を前記転圧、固化した盛り土１１上に折り返して敷設し、さらに再度その上に盛り土して、該盛り土１２を転圧して固める。
【００２１】
第２段目の施工は、前記一つ飛ばしした箇所に跨らせて擁壁ユニット１を設置していく。
【００２２】
そして、かかる擁壁ユニット１についても、前述のごとく、底板３上に敷設された前記補強部材８の上部及びその後方側の延出アンカー部１０の上に対して盛り土し、かつこの盛り土１１部分を充分に転圧して固める。
【００２３】
さらに、擁壁ユニット１の前方側にある折り返し部９を前記転圧した盛り土１１上に折り返えして敷設し、さらに再度その上に盛り土して、該盛り土１２を転圧して固めていく。
【００２４】
第３段目以降についても第２段目と同様に施工し、敷設するものとする。
しかして、上記のように、複数段に擁壁ユニット１を積み重ねて擁壁を形成した後、土内に各種の木や草や花等を植栽することも出来る。
【００２５】
しかれば、数年経過後根を張って強固な植栽擁壁を形成することが出来る。しかも、表面側は木、草及び花が成長して綺麗な景観を提供できる。
【００２６】
この様に、本発明では自然環境を破壊することなく、緑に富んだ自然的な植栽補強擁壁を構築することも出来る。
【００２７】
しかも、この植栽壁は防音効果、遮音効果をも充分に発揮できる。
【００２８】
さらに、植栽された複数本の草木は擁壁ユニット１内に充填された土の奥深く根をはるものとなり、それにより一層強固な植栽擁壁を構築できる。
【００２９】
また、長尺をなす編み目シート状の土木建築用繊維資材よりなる補強部材８が埋められてアンカーの機能を果たすものとなり、たとえ急勾配で高さの高い盛り土部であっても容易に、かつ耐久性の高い補強擁壁を構築できることとなる。
【発明の効果】
かくして本発明は以上の構成よりなる。
【００３０】
そして、本発明による補強擁壁であれば、当該補強擁壁の構築作業を簡単に行えると共に、その構築コストをきわめて安価にしうるとの優れた効果を奏する。
【図面の簡単な説明】
【図１】本発明による補強擁壁の施工状態を説明する説明図（その１）である。
【図２】本発明による補強擁壁の施工状態を説明する説明図（その２）である。
【図３】本発明による補強擁壁の施工状態を説明する説明図（その３）である。
【図４】本発明による補強擁壁の施工状態を説明する説明図（その４）である。
【図５】本発明による補強擁壁の施工状態を斜視図で説明する説明図（その１）である。
【図６】本発明による補強擁壁の施工状態を斜視図で説明する説明図（その１）である。
【図７】本発明による補強擁壁を斜視図で説明する説明図である。
【符号の説明】
１　　擁壁ユニット
２　　水抜き孔
３　　底板
４　　前壁
５　　側壁
６　　平坦載置部
７　　段差条部
８　　補強部材
９　　折り返し部
１０　　延出アンカー部
１１　　盛り土
１２　　盛り土
１３　　第１前壁部
１４　　第２前壁部
【図１】
2004100363.tif 000003
【図２】
2004100363.tif 000004
【図３】
2004100363.tif 000005
【図４】
2004100363.tif 000006
【図５】
2004100363.tif 000007
【図６】
2004100363.tif 000008
【図７】
2004100363.tif 000009